(57)【特許請求の範囲】
【請求項１】
圧力流体の供給ポート、出力ポート及び排出ポートを有し、受電端子によるソレノイドへの給電と手動操作手段の操作との何れによっても作動して、出力ポートを供給ポートと排出ポートとに切り換えて連通させる電磁弁において、
上記電磁弁が、上記ソレノイドのカバーと、該カバー内に取付けた、ソレノイド端子と受電端子とを電気的に接続する印刷配線を有するプリント基板と；上記カバーに移動可能に取付けられ、移動によって上記プリント基板によるソレノイド端子と受電端子との電気的接続を通断するスイッチとを備えている、
ことを特徴とするスイッチ付き電磁弁。
【請求項２】
プリント基板が、受電端子に電気的に接続された第１ピンと、ソレノイド端子に電気的に接続された第２ピンとを備え、
スイッチが、上下動によってこれらのピンの電気的接続を通断する導通板を備えている、
ことを特徴とする請求項１に記載したスイッチ付き電磁弁。
【請求項３】
カバーとスイッチが、互いに嵌挿するレール溝と凸レールよりなるスイッチの移動案内機構を備えている、
ことを特徴とする請求項１または請求項２に記載したスイッチ付き電磁弁。
【発明の詳細な説明】
【０００１】
【発明の属する技術分野】
本発明は、ソレノイドへの給電を通断するスイッチを有する電磁弁に関するものである。
【０００２】
【従来の技術】
マニホールドベースに設置した電磁弁をレール等によって複数個連設した電磁弁連設体や、複数個の電磁弁を直接連設した電磁弁連設体は、特に例示するまでもなく本出願前周知であり、これらの電磁弁連設体の電磁弁には、停電等の事故によってソレノイドによる電磁弁の作動ができないときのために、手動によって電磁弁を作動させる手動操作手段が設けられている。
上記周知の電磁弁連設体は、連設方向の一端に給電部を備え、コントローラから給電部を介して出力される電気信号により、連設した個々の電磁弁のソレノイドを励磁及び励磁解除して、これらの電磁弁を作動することができる。また、停電等によってソレノイドによる電磁弁の作動ができないときは、手動操作手段によって電磁弁を作動することができる。
そして上記電磁弁連設体は、該電磁弁連設体を新たに設置したり、既設の電磁弁連設体の電磁弁を増設したり、或いはメンテナンス等によって電磁弁を交換したりした場合には、これらの電磁弁が正しく作動するかどうかをチェックする必要がある。
【０００３】
本発明の発明者らは、特願平６−３２９７１２号において、電磁弁連設体の連設方向の一端にスイッチユニットを設け、このスイッチユニットに、個々の電磁弁を、コントローラの出力端子に接続する状態と、電源端子に接続する状態と、通電解除状態とに切り換えるスイッチを、電磁弁と同数個設けた電磁弁制御装置を提案した。
この電磁弁制御装置は、スイッチによって、所望の電磁弁をコントローラの出力端子に接続するとこの電磁弁をコントローラの電気信号によって作動することができ、電源端子に接続すると電源によって直接作動することができ、通電解除状態にすると手動操作手段によって手動操作することができるので、各電磁弁の作動状態を個別にチェックすることができる。
【０００４】
しかしながら、上記電磁弁制御装置は、スイッチと該スイッチの操作対象電磁弁との関係についての配慮に欠けるところがあり、複数個のスイッチを電磁弁連設体の一端に設けたスイッチユニットに一括して設置しているために、操作対象電磁弁と関係がない他の電磁弁のスイッチを誤操作する場合がある。
また、電磁弁の連設数を増加するときはスイッチユニットを交換する必要があるので、電磁弁の増設に即座に対応することができない。
【０００５】
【発明が解決しようとする課題】
本発明が解決しようとする課題は、誤操作の恐れがないスイッチ付き電磁弁を提供することにある。
【０００６】
【課題を解決するための手段】
上記課題を解決するため、本発明のスイッチ付き電磁弁は、圧力流体の供給ポート、出力ポート及び排出ポートを有し、受電端子によるソレノイドへの給電と手動操作手段の操作との何れによっても作動して、出力ポートを供給ポートと排出ポートとに切り換えて連通させる電磁弁において、上記電磁弁が、上記ソレノイドのカバーと、該カバー内に取付けた、ソレノイド端子と受電端子とを電気的に接続する印刷配線を有するプリント基板と；上記カバーに移動可能に取付けられ、移動によって上記プリント基板によるソレノイド端子と受電端子との電気的接続を通断するスイッチとを備えていることを特徴としている。
【０００７】
また、同様の課題を解決するため、上記スイッチ付き電磁弁におけるプリント基板が、受電端子に電気的に接続された第１ピンと、ソレノイド端子に電気的に接続された第２ピンとを備え、スイッチが、上下動によってこれらのピンの電気的接続を通断する導通板を備えていることを特徴としている。
【０００８】
さらに、同様の課題を解決するため、これらのスイッチ付き電磁弁におけるカバーとスイッチが、互いに嵌挿するレール溝と凸レールよりなるスイッチの移動案内機構を備えていることを特徴としている。
【０００９】
スイッチによって受電端子と電磁弁のソレノイド端子が電気的に接続しているときは、ソレノイドへの通電とその解除とによって電磁弁が作動するので、出力ポートを供給ポートと排出ポートとに切り換えて連通させることができる。
所望の電磁弁のスイッチを移動させてその電磁弁の受電端子とソレノイド端子との電気的接続を断つと、手動操作手段によって該電磁弁を作動することができる。したがって、コントローラによる電気信号と関係なく電磁弁を手動によって作動することができ、かつ手動操作手段が正しく作動するかどうかをチェックすることができる。
【００１０】
具体的には、スイッチが下動位置にあるときは、該スイッチに取付けた電気の導通板が、受電端子に電気的に接続された第１ピンとソレノイド端子に電気的に接続された第２ピンとを電気的に接続しているので、ソレノイドによって電磁弁を作動することができる。
スイッチを上動すると、導通板による第１ピンと第２ピン間の電気的接続が断たれるので、手動操作手段によって電磁弁を作動することができる。
また、カバーとスイッチとに、互いに嵌挿するレール溝と凸レールよりなるスイッチの移動案内機構を設けたので、スイッチの上下動がスムーズである。
【００１１】
この場合、電磁弁自体にスイッチを設けたことにより、スイッチと電磁弁との対応関係が明確であるから、電磁弁を複数個連設した場合であっても誤って他の電磁弁のスイッチを操作する危険がなく、しかも、スイッチの操作と手動操作手段の操作を一連の動作で行うことができる。
また、スイッチが下動位置にあるときにソレノイドに通電できるので、振動や接触等によりスイッチが不時に動いて、ソレノイドによる電磁弁の作動ができなくなることがない。
【００１２】
【発明の実施の形態】
図は本発明の実施例を示し、取付ボルト１ａ，１ａによってマニホールドベース２に取付けられた電磁弁１は、レール３によって所望の数連設されている。上記マニホールドベース２の連設方向端には、電磁弁１の後記するソレノイドに一括して給電するための給電箱４とエンドプレート５，５とが設けられ、これらの部材は、取付ねじ６ａでレール３の連設方向両端に取付けられた取付部材６，６によってレール３に固定されている。
【００１３】
マニホールドベース２は、連設方向に貫通しかつ連設によって気密に連通する圧縮空気の供給流路及び２個の排出流路（何れも図示省略）を備え、これらの流路は、エンドプレート５に設けた複数個の開口（図示省略）に個別に連通するとともに、マニホールドベース２の電磁弁設置面に開設した供給口及び２個の排出口に個別に連通している。
上記電磁弁１は、主弁１１と、図における上下方向に配設した２個のパイロット弁（図示省略）を有するパイロット弁部１２と、これらのパイロット弁のソレノイド１２ａ，１２ｂ（図２参照）に給電する給電部１３とを備え、給電部１３に後記するスイッチが設けられている。
【００１４】
上記主弁１１は、１個の圧縮空気の供給ポート、２個の出力ポート及び２個の排出ポート（何れも図示省略）を備え、取付ねじ１ａ，１ａによってマニホールドベース２に取付けられると、供給ポートと２個の排出ポートが上記供給開口と２個の排出開口に個別に連通し、２個の出力ポートは、マニホールドベース２の電磁弁設置面の２個の出力開口に個別に連通するとともに、マニホールドベース２に形成した流路によってマニホールドベースの後面の開口に連通している。
上記パイロット弁は、供給流路に連通するパイロット供給ポート、主弁１１にパイロット流体を出力するパイロット出力ポート、及び排出流路の一方に連通するパイロット排出ポート（何れも図示省略）を備え、ソレノイド１２ａ，１２ｂを励磁するとパイロット供給ポートとパイロット出力ポートとが連通し、ソレノイドの励磁を解除するとパイロット出力ポートとパイロット排出ポートとが連通する、周知の常閉形３ポート電磁弁として構成されている。
【００１５】
また、パイロット弁部１２と、主弁１１とパイロット弁部１２間のアダプタ１４とに、押圧によってパイロット供給ポートとパイロット出力ポートを連通させて主弁１１にパイロット流体を出力し、押圧を解除するとばねにより復帰してパイロット出力ポートをパイロット排出ポートに連通させて主弁１のパイロット流体を排出する、第１手動操作手段１５ａと第２手動操作手段１５ｂ（図示の例は手動操作釦）が、それぞれ設けられている。
【００１６】
しかしながら、本発明の電磁弁は、図示のパイロット式５ポート電磁弁に限定されるものではなく、パイロット式の３ポート電磁弁または４ポート電磁弁とすることができ、さらには、ソレノイドによって直接弁体を駆動する直動式電磁弁とすることもできる。
また、図示を省略しているが、電磁弁自体に連設方向に貫通する供給流路と排出流路とを設けて、マニホールドベース２やレール３によることなく、電磁弁を直接連設することもできる。
【００１７】
上記給電部１３は、下側（マニホールドベース側）に端子箱１７を備え、取付ねじ１３ａによってパイロット弁部１２に取付けられている。上記端子箱１７に設けたアングル状の受電端子１８ａ，１８ｂ，１８ｂ（図４も参照）は、電磁弁１をマニホールドベース２に設置すると、マニホールドベース２に取付けた給電箱１９の給電端子１９ａ，１９ｂ，１９ｃ（図４参照）に電気的に接続される。また、これらの給電端子は、給電線２０，・・によって、給電箱４に取付けた中継端子２１のピンにそれぞれ電気的に接続されている。
【００１８】
上記給電部１３には、プリント基板２４とこれを覆うカバー２３とが装着されている。
図３に詳細を示す上記プリント基板２４は、ソレノイド１２ａ，１２ｂのソレノイド端子２５ａ，２５ｂが挿入されるソレノイド端子孔２６ａ，２６ｂと、受電端子１８ａ，１８ｂ，１８ｂが挿入される受電端子孔２７ａ，２７ｂ，２７ｂと、カバー２３を通って突出する第１ピン２８ａ及び第２ピン２８ｂとを備え、第１ピン２８ａと受電端子のコモン端子１８ａ、第２ピン２８ｂとソレノイド端子２５ａ及び２５ｂの一方、及びソレノイド端子２５ａ，２５ｂの他方と受電端子１８ｂ，１８ｂは、これらの端子に対応する端子孔とプリント基板２４に印刷した給電回路２４ａ（図４参照）とによって、電気的に接続されている。
【００１９】
また、上記給電回路２４ａには、逆起電力を防止するダイオード２９，・・を有するコイルの保護回路と、ソレノイド１２ａ，１２ｂへの通電を表示する表示灯（発光ダイオード）３０，３０を有する通電表示灯回路とが設けられており、給電部１３に嵌着されたカバー２３は、表示灯３０，３０と対向する箇所に、表示灯の点灯を外部から視認する透明または半透明の表示灯カバー３２が取付けられている。
【００２０】
カバー２３は、プリント基板側と反対側の幅方向両側にレール溝３５，３５を備え、スイッチ３４は、幅方向両側の凸レール３６，３６をレール溝３５，３５に挿入することによって、カバー２３に上下動可能に組み付けられる。
図５に示すように、上記スイッチ３４は、カバー２３側に形成した凹部に、略Ｕ字形の電気の導通板３８の一端を係止する係止溝３９と、導通板３８の屈曲部の内側に位置する第１突起４１と、導通板３８の他端近くに当接してその過度の拡開を抑制する第２突起４２とを備え、これらは凸レール３６，３６とともにスイッチ３４と一体に形成されている。
上記導通板３８は、電気の良導体でかつ弾発力を有する素材で形成され、一端の係止部を係止溝３９に係止して他端近くを第２突起４２に当接させることにより、スイッチ３４に一体移動可能に取付けられている。
【００２１】
上記実施例は、給電部１３にプリント基板２４を装着すると、各ソレノイド端子２５ａ，２５ｂが対応する各ソレノイド端子孔２６ａ，２６ｂに、受電端子１８ａ，１８ｂ，１８ｂが対応する受電端子孔２７ａ，２７ｂ，２７ｂにそれぞれ挿入されて、これらが電気的に接続される。
また、導通板３８を組み込んだスイッチ３４を、凸レール３６，３６とレール溝３５，３５との嵌挿によってカバー２３に組み付け、このカバーを給電部１３に取付けると、プリント基板２４に設けた第１ピン２８ａ及び第２ピン２８ｂがスイッチ３４の凹部内に突出し、スイッチ３４が下動しているときは、導通板３８両側の屈曲片がこれらのピン２８ａ，２８ｂにそれぞれ電気的に接続する（図８参照）。
【００２２】
上記スイッチ３４は、通常は図において下動させて、導通板３８により第１ピン２８ａと第２ピン２８ｂとを電気的に接続させる（図８参照）。したがって、中継端子２１に接続したコントローラ（図示省略）の電気信号によってソレノイド１２ａ，１２ｂが励磁及び励磁解除されるので、電磁弁１が作動して出力ポートを供給ポートと排出ポートとに切り換えて連通させる。
スイッチ３４を図において上動すると、導通板３８による第１ピン２８ａと第２ピン２８ｂとの電気的接続が断たれるので（図８の二点鎖線参照）、ソレノイド１２ａ，１２ｂによる電磁弁１の作動ができなくなって、第１、第２手動操作手段１５ａ，１５ｂの押圧とその解除とによって電磁弁１を作動させることができる。
したがって、電磁弁連設体を新設したり、既存の電磁弁連設体の電磁弁を増設及び交換したりした場合は、これらの電磁弁のスイッチ３４を上動すると、その電磁弁の手動操作手段１５ａ，１５ｂが正しく作動するかどうかをチェックすることができる。
【００２３】
上記導通板３８は、Ｕ字状に屈曲されかつ一端が係止溝３９に係止されているので、スイッチ３４が上下動を繰り返しても、ピン２８ａ，２８ｂ間の電気的通断に支障を生ずることはない。
上記スイッチ３４によるソレノイド１２ａ，１２ｂへの給電の通断は、電磁弁毎に行うことができるので、複数個連設した電磁弁に給電箱４から一括して給電する場合であっても、電磁弁毎にソレノイドへの給電を断つことができる。
また、電磁弁１自体にスイッチ３４を設けたので、操作対象電磁弁とスイッチとの対応関係が明確でスイッチの誤操作の危険がなく、かつスイッチ３４の操作と手動操作手段１５ａ，１５ｂの手動操作とを一連の動作で行うことができ、しかも複数個のスイッチをスイッチユニットに一括して設けたものと異なり、電磁弁の増設に即座に対応することができる。
【００２４】
上記電磁弁１は、スイッチ３４の下動によってソレノイド１２ａ，１２ｂに給電するので、振動や接触等によりスイッチ３４が不時に動いてソレノイドによる電磁弁１の作動ができなくなる恐れがない。
また、カバー２３とスイッチ３４とに、レール溝３５，３５と凸レール３６，３６よりなるスイッチの移動案内部を設けたので、スイッチ３４の上下動が確実かつスムーズである。
【００２５】
【発明の効果】
本発明のスイッチ付き電磁弁は、電磁弁自体にスイッチを設けたことにより、スイッチと手動操作をする電磁弁との対応関係が明確であるから、電磁弁を複数個連設した場合であってもスイッチを誤操作する危険がなく、かつスイッチの操作と手動操作手段の操作を一連の動作で行うことができる。
また、カバーとスイッチとに、レール溝と凸レールよりなるスイッチの移動案内部を設けたので、スイッチの上下動が確実かつスムーズである。
さらに、スイッチの下動によってソレノイドに通電できるので、振動や接触等によりスイッチが不時に動いてソレノイドによる電磁弁の作動ができなくなる恐れがない。
【図面の簡単な説明】
【図１】実施例の一部分解斜視図である。
【図２】要部の断面図である。
【図３】給電部の側面図である。
【図４】給電回路の図である。
【図５】スイッチの裏面図である。
【図６】同じく側面図である。
【図７】同じく平面図である。
【図８】スイッチの作動説明図である。
【符号の説明】
１    電磁弁
１２ａ，１２ｂ  ソレノイド
１５ａ，１５ｂ  手動操作手段
１８ａ，１８ｂ  受電端子
２３  カバー
２４  プリント基板
２５ａ，２５ｂ  ソレノイド端子
２８ａ，２８ｂ  ピン
３４  スイッチ
３５  レール溝
３６  凸レール
３８  導通板
【図１】
0003709241.tif 000002
【図２】
0003709241.tif 000003
【図３】
0003709241.tif 000004
【図４】
0003709241.tif 000005
【図５】
0003709241.tif 000006
【図６】
0003709241.tif 000007
【図７】
0003709241.tif 000008
【図８】
0003709241.tif 000009